(57)【要約】【課題】配置の自由度を向上することができるコネクタを提供する。【解決手段】リセプタクルコネクタ１Ａは、基板に実装される。絶縁性のハウジング１０は、一方の面に信号端子が形成され他方の面にグランドコンタクト２２が形成された同軸ケーブル３の端部を、一方の面を底面１０ｂに対向させ同軸ケーブル３を側面から引き出した状態で底面１０ｂに沿って回動可能に収容する凹部１０ａが形成されている。導電性の信号コンタクト１１は、ハウジング１０に取り付けられるとともに基板と導通し、凹部１０ａに収容された同軸ケーブル３の信号端子と接触する。導電性のシェル１２は、ハウジング１０に取り付けられるとともに基板に接地され、凹部１０ａの上面を塞ぐとともに、凹部１０ａに収容された同軸ケーブル３のグランドコンタクト２２と接触する。【選択図】図３
2018181607.tif 000002
【特許請求の範囲】
【請求項１】
基板に実装されるコネクタであって、
一方の面に信号端子が形成され他方の面に接地端子が形成された導電線の端部を、前記一方の面を底面に対向させ前記導電線を側面から引き出した状態で前記底面に沿って回動可能に収容する凹部が形成された絶縁性のハウジングと、
前記ハウジングに取り付けられるとともに前記基板と導通し、前記凹部に収容された前記導電線の前記信号端子と接触する導電性の信号コンタクトと、
前記ハウジングに取り付けられるとともに前記基板に接地され、前記凹部の上面を塞ぐとともに、前記凹部に収容された前記導電線の前記接地端子と接触する導電性のシェルと、
を備えるコネクタ。
【請求項２】
前記凹部では、上面視で円弧状の内側壁が設けられ、
前記導電線の端部の縁が前記内側壁に接しながら前記導電線の端部を回動させる、
請求項１に記載のコネクタ。
【請求項３】
前記内側壁は、
前記導電線が前記凹部から抜け出すのを防止するように形成されている、
請求項２に記載のコネクタ。
【請求項４】
前記シェルは、
前記ハウジングにおける前記導電線が引き出される側面以外の、対向する側面に沿って配置され、前記基板に接地される一対の側板部と、
一端が前記側板部の一方と連結され、その連結部分で折り曲げられて前記凹部の上面を塞ぎ、他端が折り曲げられて前記側板部の他方と連結する上板部と、
を備える、
請求項１から３のいずれか一項に記載のコネクタ。
【請求項５】
前記上板部に、
前記導電線が前記凹部から抜け出すのを防止する防止片が形成されている、
請求項４に記載のコネクタ。
【請求項６】
前記信号コンタクトが、
前記凹部における前記導電線の端部の回動中心で前記信号端子と接触するか、
前記シェルが、
前記凹部における前記導電線の端部の回動中心で前記接地端子と接触する、
請求項１から５のいずれか一項に記載のコネクタ。
【請求項７】
前記信号コンタクトにおける前記信号端子と接触する部分は、
前記導電線の端部が前記凹部内で回動した場合でも、前記信号端子との接触を継続可能な形状又は大きさを有しているか、
前記シェルにおける前記接地端子と接触する部分は、
前記導電線の端部が前記凹部内で回動した場合でも、前記接地端子との接触を継続可能な形状又は大きさを有している、
請求項１から５のいずれか一項に記載のコネクタ。
【請求項８】
前記凹部は、前記導電線としてのフレキシブルプリント基板の端部を収容する、
請求項１から７のいずれか一項に記載のコネクタ。
【請求項９】
前記導電線としての同軸ケーブルの先端に取り付けられ、前記一方の面に内部導体と接続する前記信号端子が形成され、前記他方の面に外部導体と接続する前記接地端子が形成された筐体を備え、
前記凹部は、前記導電線の端部としての前記筐体を収容する、
請求項１から７のいずれか一項に記載のコネクタ。
【発明の詳細な説明】
【技術分野】
【０００１】
本発明は、コネクタに関する。
【背景技術】
【０００２】
特許文献１には、凹部を成す部材収容部を有する絶縁ハウジングと、絶縁ハウジングに開閉可能に、片持ち状に取り付けられたアクチュエータと、を備えるコネクタ装置が開示されている。このコネクタ装置は、部材収容部に収容されたフレキシブル基板を、絶縁ハウジングとアクチュエータとで挟むことで保持している。
【先行技術文献】
【特許文献】
【０００３】
【特許文献１】特許５５４５４４０号公報
【発明の概要】
【発明が解決しようとする課題】
【０００４】
ここで、コネクタ装置に保持されたフレキシブル基板は、絶縁ハウジングに設けられた突起状の突出部に係止されるので、フレキシブル基板の主面に沿って回動できない。よって、コネクタ装置は、実装される装置内における部品の配置の制約を受け易いという問題がある。
【０００５】
本発明は、上記実情に鑑みてなされたものであり、実装される装置内における部品の配置の自由度を向上することができるコネクタを提供することを目的とする。
【課題を解決するための手段】
【０００６】
上記目的を達成するために、本発明に係るコネクタは、
基板に実装されるコネクタであって、
一方の面に信号端子が形成され他方の面に接地端子が形成された導電線の端部を、前記一方の面を底面に対向させ前記導電線を側面から引き出した状態で前記底面に沿って回動可能に収容する凹部が形成された絶縁性のハウジングと、
前記ハウジングに取り付けられるとともに前記基板と導通し、前記凹部に収容された前記導電線の前記信号端子と接触する導電性の信号コンタクトと、
前記ハウジングに取り付けられるとともに前記基板に接地され、前記凹部の上面を塞ぐとともに、前記凹部に収容された前記導電線の前記接地端子と接触する導電性のシェルと、
を備える。
【０００７】
この場合、前記凹部では、上面視で円弧状の内側壁が設けられ、
前記導電線の端部の縁が前記内側壁に接しながら前記導電線の端部を回動させる、
こととしてもよい。
【０００８】
また、前記内側壁は、
前記導電線が前記凹部から抜け出すのを防止するように形成されている、
こととしてもよい。
【０００９】
前記シェルは、
前記ハウジングにおける前記導電線が引き出される側面以外の、対向する側面に沿って配置され、前記基板に接地される一対の側板部と、
一端が前記側板部の一方と連結され、その連結部分で折り曲げられて前記凹部の上面を塞ぎ、他端が折り曲げられて前記側板部の他方と連結する上板部と、
を備える、
こととしてもよい。
【００１０】
前記上板部に、
前記導電線が前記凹部から抜け出すのを防止する防止片が形成されている、
こととしてもよい。
【００１１】
前記信号コンタクトが、
前記凹部における前記導電線の端部の回動中心で前記信号端子と接触するか、
前記シェルが、
前記凹部における前記導電線の端部の回動中心で前記接地端子と接触する、
こととしてもよい。
【００１２】
前記信号コンタクトにおける前記信号端子と接触する部分は、
前記導電線の端部が前記凹部内で回動した場合でも、前記信号端子との接触を継続可能な形状又は大きさを有しているか、
前記シェルにおける前記接地端子と接触する部分は、
前記導電線の端部が前記凹部内で回動した場合でも、前記接地端子との接触を継続可能な形状又は大きさを有している、
こととしてもよい。
【００１３】
前記凹部は、前記導電線としてのフレキシブルプリント基板の端部を収容する、
こととしてもよい。
【００１４】
前記導電線としての同軸ケーブルの先端に取り付けられ、前記一方の面に内部導体と接続する前記信号端子が形成され、前記他方の面に外部導体と接続する前記接地端子が形成された筐体を備え、
前記凹部は、前記導電線の端部としての前記筐体を収容する、
こととしてもよい。
【発明の効果】
【００１５】
本発明によれば、ハウジングが導電線を底面に沿って回動可能に収容するので、実装される装置内における配置の自由度を向上することができる。
【図面の簡単な説明】
【００１６】
【図１】図１（Ａ）は、本発明の実施の形態１に係るコネクタの使用状態を示す斜視図である。図１（Ｂ）は、図１（Ａ）のコネクタの側面図である。図１（Ｃ）は、図１（Ａ）のコネクタの別の方向から見た斜視図である。
【図２】図１（Ａ）のコネクタの構成を示す斜視図である。
【図３】プラグコネクタをリセプタクルコネクタから持ち上げた状態を示す図である。
【図４】リセプタクルコネクタの分解斜視図である。
【図５】プラグコネクタの分解斜視図である。
【図６】図６（Ａ）は、リセプタクルコネクタの上面図である。図６（Ｂ）は、リセプタクルコネクタの斜視図である。図６（Ｃ）は、図６（Ａ）のＡ−Ａ線断面図である。
【図７】図７（Ａ）は、プラグコネクタの斜視図である。図７（Ｂ）は、プラグコネクタをｙｚ面に平行な面で等分したときの断面図である。図７（Ｃ）は、信号コンタクト及びグランドコンタクトを同軸ケーブルに接続した状態を示す図である。
【図８】図８（Ａ）は、コネクタの上面図である。図８（Ｂ）は、図８（Ａ）のＢ−Ｂ線断面図である。
【図９】図９（Ａ）、図９（Ｂ）及び図９（Ｃ）は、コネクタにおいてプラグコネクタが回動する様子を示す図である。
【図１０】本発明の実施の形態２に係るコネクタの斜視図である。
【図１１】図１１（Ａ）は、リセプタクルコネクタの上板部を空けた状態のコネクタ上面図である。図１１（Ｂ）は、リセプタクルコネクタの上板部を閉じた状態のコネクタの上面図である。
【図１２】図１２（Ａ）は、本発明の実施の形態３に係るコネクタとＦＰＣとを個別に示す上面図である。図１２（Ｂ）は、ＦＰＣがコネクタに収容された様子を示す図である。図１２（Ｃ）及び図１２（Ｄ）は、ＦＰＣがコネクタ内で回動する様子を示す図である。
【図１３】他のＦＰＣを収容するコネクタの例を示す斜視図である。
【発明を実施するための形態】
【００１７】
実施の形態１．
まず、本発明の実施の形態１について、図１（Ａ）から図９（Ｃ）を参照して詳細に説明する。
【００１８】
図１（Ａ）乃至図１（Ｃ）に示すように、コネクタ１は、基板２に実装される。コネクタ１は、同軸ケーブル３の端部を内部に収容し、基板２と同軸ケーブル（導電線）３とを電気的に接続する。ここで、同軸ケーブル３は、内部導体３０を中心として、絶縁部３１を介して外部導体３２がその外周に位置しており、最外周に外部被覆３３が設けられた構成となっている。図１（Ｃ）に矢印で示すように、コネクタ１は、同軸ケーブル３の向きをｘｙ平面に沿って所定の範囲で変更可能となっている。
【００１９】
図２及び図３に示すように、本実施の形態では、コネクタ１は、リセプタクルコネクタ１Ａと、プラグコネクタ１Ｂとを含んで構成される。図２及び図３では、後述するように、リセプタクルコネクタ１Ａのシェル１２の上板部１２ｃがオープンとなった状態が示されている。
【００２０】
リセプタクルコネクタ１Ａは、基板２に実装され、プラグコネクタ１Ｂは、同軸ケーブル３の端部に接続される。図２に示すように、プラグコネクタ１Ｂは、リセプタクルコネクタ１Ａのハウジング１０の凹部１０ａに収容される。この状態で、後述するリセプタクルコネクタ１Ａのシェル１２の上板部１２ｃが折り曲げられ、ハウジング１０の凹部１０ａが塞がれると、図１に示す状態となり、基板２と同軸ケーブル３とが電気的に接続される。
【００２１】
図４に示すように、リセプタクルコネクタ１Ａは、上述の絶縁性のハウジング１０と、導電性の信号コンタクト１１と、上述の導電性のシェル１２と、を備える。また、図５に示すように、プラグコネクタ１Ｂは、絶縁性のハウジング２０と、導電性の信号コンタクト２１と、導電性のグランドコンタクト２２と、を備える。
【００２２】
まず、リセプタクルコネクタ１Ａについて説明する。ハウジング１０は、樹脂等で形成され、外形が略平板矩形状の筐体である。ハウジング１０の＋ｚ側の面（上面）には、上述のように、円柱状の凹部１０ａが形成されている。この凹部１０ａに同軸ケーブル３の端部としてのプラグコネクタ１Ｂが収容される。凹部１０ａには、円形の底面１０ｂが設けられている。凹部１０ａに収容されるプラグコネクタ１Ｂは、底面１０ｂに沿って回動する。また、凹部１０ａの内側壁１０ｃは、プラグコネクタ１Ｂの外側面２０ｃに接する。プラグコネクタ１Ｂは、内側壁１０ｃに沿って回動する。
【００２３】
ハウジング１０の−ｙ側の側面には、開口部１０ｄが設けられている。プラグコネクタ１Ｂに接続した同軸ケーブル３は、ハウジング１０の側面から開口部１０ｄを介して−ｙ方向に引き出されている。図６（Ａ）に示すように開口部１０ｄのｘ軸方向の幅ｗは、溝部２０ａの直径ｄよりも短くなっている。プラグコネクタ１Ｂの直径はｄであるので、プラグコネクタ１Ｂが凹部１０ａから抜け出さないようにすることができる。
【００２４】
図４に示すように、ハウジング１０の底面１０ｂのｘ軸方向中央には、ｙ軸方向に延びるスリット１０ｅが設けられている。図６（Ｂ）に示すように、このスリット１０ｅに信号コンタクト１１が嵌め込まれる。
【００２５】
ハウジング１０の＋ｚ側の面の四隅には、シェル１２と係止する４つの係止孔１０ｆが設けられている。
【００２６】
信号コンタクト１１は、ｙ軸方向に延びる直線板状部材である。信号コンタクト１１は、スリット１０ｅに嵌め込まれる。信号コンタクト１１の両端には、基板接続部１１ａと、信号端子１１ｂとが設けられている。基板接続部１１ａは、基板２と接続し、信号端子１１ｂは、図６（Ｂ）及び図６（Ｃ）に示すように、底面１０ｂの中心部（原点Ｏ）で、底面１０ｂから＋ｚ側に突出しており、この信号端子１１ｂで、プラグコネクタ１Ｂの信号コンタクト２１と接触する。信号コンタクト１１は、凹部１０ａにおけるプラグコネクタ１Ｂの回動中心Ｏでプラグコネクタ１Ｂの信号コンタクト２１と接触する。
【００２７】
シェル１２は、ハウジング１０を囲むように設置された部材である。シェル１２は、一対の側板部１２ａと、背板部（連結部分）１２ｂと、上述の上板部１２ｃとを備える。一対の側板部１２ａは、ハウジング１０における同軸ケーブル３が引き出される開口部１０ｄが形成された側面以外の、対向する側面に沿って配置されている。側板部１２ａの＋ｙ側端部は、背板部１２ｂのｘ軸方向両端にそれぞれ接続されている。上板部１２ｃは、背板部１２ｂと連結されている。上板部１２ｃは、背板部１２ｂに対して折り曲げ可能となっている。
【００２８】
一対の側板部１２ａの−ｚ側の縁には、基板接続部１２ｄが設けられている。基板接続部１２ｄが、はんだ付けにより、基板２のグランド電極に接続される。また、一対の側板部１２ａ及び背板部１２ｂには、４つの係止爪１２ｅが設けられており、係止爪１２ｅがハウジング１０の係止孔１０ｆに嵌め込まれ、係止することで、シェル１２がハウジング１０に取り付けられる。
【００２９】
上板部１２ｃは、折り曲げられて凹部１０ａの上面を塞ぐ。一対の側板部１２ａの端部には、突出部１２ｆが設けられ、上板部１２ｃの端部には、係止孔１２ｇが設けられている。上板部１２ｃが折り曲げられ、凹部１０ａが塞がれると、突出部１２ｆが係止孔１２ｇに係合して、上板部１２ｃが一対の側板部１２ａに固定される。なお、突出部１２ｆの先端を基板２を向く方向に折り曲げて突出部１２ｆをＬ字状に構成し、凹部１０ａが塞がれた際において、係止孔１２ｇの縁が、突出部１２ｆの先端と側板部１２ａとの間に入りこんで突出部１２ｆに引っ掛るようにして係合してもよい。この場合、突出部１２ｆと係止孔１２ｇとがより強固に係合される。
【００３０】
上板部１２ｃには、グランド接点１２ｈが設けられている。グランド接点１２ｈは、凹部１０ａに収容されたプラグコネクタ１Ｂのグランドコンタクト２２と接触する。グランド接点１２ｈの位置は、プラグコネクタ１Ｂの回動中心Ｏに対応している。
【００３１】
このように、シェル１２は、ハウジング１０を囲んでそのハウジング１０を基板２に保持する役割を果たすとともに、基板２のグランド電極と電気的に接続するグランド接点としての役割を果たしている。また、シェル１２は、リセプタクルコネクタ１Ａに収容されたプラグコネクタ１Ｂを固定する役割も果たしている。
【００３２】
次に、プラグコネクタ１Ｂについて説明する。筐体としてのハウジング２０は、図５に示すように、外形が円柱状の部材である。ハウジング２０は、リセプタクルコネクタ１Ａの凹部１０ａに嵌め込み可能であり、ハウジング２０がリセプタクルコネクタ１Ａの凹部１０ａ内で底面１０ｂに沿って回動可能になっている。
【００３３】
ハウジング２０のｘ軸方向中央には、ｙ軸方向に延びる溝部２０ａが設けられている。この溝部２０ａに信号コンタクト２１が嵌め込まれる。溝部２０ａの＋ｙ側には、グランドコンタクト２２の端部が挿入される挿入溝２０ｂが設けられている。溝部２０ａに嵌め込まれた信号コンタクト２１と、挿入溝２０ｂに挿入されたグランドコンタクト２２との間には、それらを絶縁するための絶縁部２０ｄがハウジング２０から＋ｚ方向に延びている。
【００３４】
信号コンタクト２１は、図５に示すように、ハウジング２０の溝部２０ａに嵌め込まれて使用される。信号コンタクト２１は、Ｖ字状に折れ曲がった細長板状部材である。信号コンタクト２１は、Ｖ字の間に同軸ケーブル３の内部導体３０を、挟み込んで同軸ケーブル３の内部導体３０と電気的に接続する。また、信号コンタクト２１は、リセプタクルコネクタ１Ａの信号コンタクト１１の信号端子１１ｂと導通する。
【００３５】
グランドコンタクト２２は、ハウジング２０の挿入溝２０ｂに端部が挿入された後、−ｙ方向に折り曲げられて同軸ケーブル３の外部導体３２と接触する。外部導体３２と接触する部分の両端には、外部導体３２を挟み込む把持部２２ａが一対設けられており、この把持部２２ａで外部導体３２がグリップされて、グランドコンタクト２２は、同軸ケーブル３の外部導体３２と電気的に接続する。グランドコンタクト２２は、リセプタクルコネクタ１Ａの上板部１２ｃに設けられたグランド接点１２ｈと電気的に接触する。
【００３６】
本実施の形態１に係るコネクタ１の実装動作について説明する。前提として、リセプタクルコネクタ１Ａは、すでに基板２に実装されているものとする。
【００３７】
まず、図７（Ａ），（Ｂ）に示すように、信号コンタクト２１の間に同軸ケーブル３の内部導体３０を置く。そして、この状態で、把持部２２ａが同軸ケーブル３の外部導体３２を把持する位置までグランドコンタクト２２を−ｙ方向に折り曲げる。この動作により、信号コンタクト２１及び絶縁部２０ｄも折り曲げられ、信号コンタクト２１が内部導体３０に密着する。さらに把持部２２ａを折り曲げて把持部２２ａに外部導体３２を把持させ、外部導体３２に導通させる。この状態で、プラグコネクタ１Ｂは、図７（Ｃ）に示す状態となる。
【００３８】
さらに、プラグコネクタ１Ｂをリセプタクルコネクタ１Ａの凹部１０ａに収容する。これにより、コネクタ１は、図２に示す状態となる。この状態で、リセプタクルコネクタ１Ａの上板部１２ｃを−ｙ方向に折り曲げて、凹部１０ａを塞ぐ。これにより、コネクタ１は、図１（Ａ）に示す状態となる。これにより、コネクタ１の実装が完了する。
【００３９】
この状態で、図８（Ａ）のＢ−Ｂ線断面である図８（Ｂ）に示すように、同軸ケーブル３の内部導体３０は、プラグコネクタ１Ｂの信号コンタクト２１及びリセプタクルコネクタ１Ａの信号コンタクト１１を介して、基板２の信号電極と導通する。また、同軸ケーブル３の外部導体３２は、プラグコネクタ１Ｂのグランドコンタクト２２及びリセプタクルコネクタ１Ａのシェル１２（基板接続部１２ｄ）を介して、基板２に接地される。
【００４０】
図９（Ａ）乃至図９（Ｃ）に示すように、プラグコネクタ１Ｂは、回動中心Ｏを中心にある程度回動可能となっている。これにより、同軸ケーブル３の向きを調整することができる。同軸ケーブル３の回動可能角度は、プラグコネクタ１Ｂの直径ｄや開口部１０ｄの幅ｗ（図６参照）で決まる。回動可能角度を大きくすれば、それほどプラグコネクタ１Ｂがリセプタクルコネクタ１Ａから抜けやすくなるため、プラグコネクタ１Ｂが抜けないような回動可能角度が選択される。
【００４１】
以上詳細に説明したように、本実施の形態によれば、ハウジング１０がプラグコネクタ１Ｂを凹部１０ａの底面１０ｂに沿って回動可能に収容するので、コネクタ１が実装される基板２を備える装置内の基板や同軸ケーブル３等の部品の配置の自由度を向上することができる。
【００４２】
実施の形態２．
まず、本発明の実施の形態２について、図１０及び図１１を参照して詳細に説明する。
【００４３】
本実施の形態に係るコネクタ５０は、上記実施の形態１と同様に、同軸ケーブル３を基板２に接続する。なお、本実施の形態では、同軸ケーブル３の内部導体３０、絶縁部３１、外部導体３２の断面形状は、矩形状となっている。
【００４４】
図１０に示すように、コネクタ５０は、リセプタクルコネクタ１Ｃと、プラグコネクタ１Ｄを備える。リセプタクルコネクタ１Ｃが基板２に接続され、プラグコネクタ１Ｄが同軸ケーブル３に接続される。
【００４５】
図１０に示すように、リセプタクルコネクタ１Ｃのシェル１２の上板部１２ｃに、プラグコネクタ１Ｄがリセプタクルコネクタ１Ｃから抜け出すのを防ぐ防止片１２ｉが設けられている。防止片１２ｉは、上板部１２ｃのグランド接点１２ｈのｘ軸方向両側に設けられている。リセプタクルコネクタ１Ｃは、他の点は、リセプタクルコネクタ１Ａと同じである。
【００４６】
これに対応して、プラグコネクタ１Ｄのハウジング２０には、防止片１２ｉが挿入される挿入孔２５が設けられている。挿入孔２５は、図１１（Ａ）に示すように、プラグコネクタ１Ｄの中心Ｏを中心とする円周方向に延びている。プラグコネクタ１Ｄは、他の点は、プラグコネクタ１Ｂと同じである。
【００４７】
図１１（Ｂ）に示すように、プラグコネクタ１Ｄが収容された状態で、上板部１２ｃが折り曲げられ、凹部１０ａが塞がれると、防止片１２ｉが挿入孔２５に挿入される。これにより、プラグコネクタ１Ｄに対して−ｙ方向に引く力が働いたとしても、挿入孔２５に挿入された防止片１２ｉがプラグコネクタ１Ｄの−ｙ方向への移動を規制し、プラグコネクタ１Ｄがリセプタクルコネクタ１Ｃから抜けるのが防止される。このように、防止片１２ｉがプラグコネクタ１Ｄの抜けを防止する構成は、ハウジング１０の−ｙ側の側面に設けられた開口部のｘ軸方向の幅が、プラグコネクタ１Ｄのハウジング２０の直径と同じか、ハウジング２０の直径よりも大きい場合に特に有用である。
【００４８】
挿入孔２５は、プラグコネクタ１Ｄを中心に円弧状に延びているので、防止片１２ｉがプラグコネクタ１Ｄの回動を妨げないようになっている。
【００４９】
以上詳細に説明したように、本実施の形態によれば、ハウジング１０がプラグコネクタ１Ｄを凹部１０ａの底面１０ｂに沿って回動可能に収容するので、リセプタクルコネクタ１Ｃが実装される基板２を備える装置内の基板や同軸ケーブル３等の部品の配置の自由度を向上することができる。
【００５０】
実施の形態３．
まず、本発明の実施の形態３について、図１２（Ａ）から図１２（Ｄ）を参照して詳細に説明する。
【００５１】
本実施の形態では、図１２（Ａ）に示すように、コネクタ１Ｅが、導電線としてのフレキシブルプリント基板（ＦＰＣ）４の端部を収容する。本実施の形態に係るＦＰＣ４は、端部が円形に形成されている。円形に形成された端部の＋ｚ側の面にグランド電極４ａが形成され、−ｚ側の面に信号電極４ｂが形成されている。
【００５２】
コネクタ１Ｅの凹部１０ａには、図１２（Ｂ）に示すように、ＦＰＣ４の端部が挿入される。
【００５３】
図１２（Ｃ）及び図１２（Ｄ）に示すように、ＦＰＣ４の端部は、コネクタ１Ｅに、回動可能に収容される。このとき、グランド電極４ａがグランド接点１２ｈに接触し、信号電極４ｂが信号端子１１ｂに接触する。
【００５４】
以上詳細に説明したように、本実施の形態によれば、ハウジング１０がＦＰＣ４を凹部１０ａの底面１０ｂに沿って回動可能に収容するので、コネクタ１Ｅが実装される基板や同軸ケーブル３等の部品の装置内における配置の自由度を向上することができる。
【００５５】
なお、ＦＰＣには様々なタイプのものがあり、信号電極が中心に形成されておらず、２つ形成されているものもある。この場合には、図１３に示すように、コネクタ１Ｅに２つの信号コンタクト１１が設けられていてもよい。この場合、信号コンタクト１１の信号端子１１ｂが回動中心にないため、ＦＰＣ４が回動すると、信号コンタクト１１の信号端子１１ｂとＦＰＣの信号端子との間に位置ずれが生じる。
【００５６】
そこで、信号コンタクト１１における信号端子１１ｂと接触する部分は、ＦＰＣ４の端部が凹部１０ａ内で回動した場合でも、信号端子１１ｂとの接触を継続可能な形状（例えば上述の円弧状）又は大きさを有しているのが望ましい。逆に、シェル１２におけるグランド接点１２ｈが、回動中心に位置していない場合には、ＦＰＣ４のグランド電極４ａは、凹部１０ａ内で回動した場合でも、グランド接点１２ｈとの接触を継続可能な形状又は大きさを有しているのが望ましい。
【００５７】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００５８】
本発明は、同軸ケーブル又はフレキシブルプリント基板（ＦＰＣ）と基板とを接続するコネクタに適用することができる。
【符号の説明】
【００５９】
１，５０，１Ｅ，１Ｆ  コネクタ、１Ａ，１Ｃ  リセプタクルコネクタ、１Ｂ，１Ｄ  プラグコネクタ、２  基板、３  同軸ケーブル、４  フレキシブルプリント基板（ＦＰＣ）、４ａ  グランド電極、４ｂ  信号電極、１０  ハウジング、１０ａ  凹部、１０ｂ  底面、１０ｃ  内側壁、１０ｄ  開口部、１０ｅ  スリット、１０ｆ  係止孔、１１  信号コンタクト、１１ａ  基板接続部、１１ｂ  信号端子、１２  シェル、１２ａ  側板部、１２ｂ  背板部、１２ｃ  上板部、１２ｄ  基板接続部、１２ｅ  係止爪、１２ｆ  突出部、１２ｇ  係止孔、１２ｈ  グランド接点、１２ｉ  防止片、２０  ハウジング、２０ａ  溝部、２０ｂ  挿入溝、２０ｃ  外側面、２０ｄ  絶縁部、２１  信号コンタクト、２２  グランドコンタクト、２２ａ  把持部、２５  挿入孔、３０  内部導体、３１  絶縁部、３２  外部導体、３３  外部被覆
【図１】
2018181607.tif 000003
【図２】
2018181607.tif 000004
【図３】
2018181607.tif 000005
【図４】
2018181607.tif 000006
【図５】
2018181607.tif 000007
【図６】
2018181607.tif 000008
【図７】
2018181607.tif 000009
【図８】
2018181607.tif 000010
【図９】
2018181607.tif 000011
【図１０】
2018181607.tif 000012
【図１１】
2018181607.tif 000013
【図１２】
2018181607.tif 000014
【図１３】
2018181607.tif 000015